(57)【要約】【課題】結露検出部の検出結果をそのまま結露動作に直結すると、実際には機器内部に結露が発生するおそれが無い時も、機器の動作を止めてしまい、撮影者の撮影機会を奪うこととなる。本発明は、テープ保護を第一番に確保しつつ、機器の密閉製が高く、周囲の環境変化だけでは、内部に結露が発生しない密閉性の高い構成機器において、テープダメージが発生する可能性がない場合には、撮影者の撮影機会を最大限確保するような仕組みを提供する。【解決手段】結露検出部１の検出結果を保持した情報と、カセット扉開閉を保持した情報の両方が揃ったときのみ、結露の表示と動作を行う。どちらか片方の条件しか発生していないときは、機器の動作を止めることなく、撮影者の撮影機会を確保する。【選択図】図１
2007193857.tif 000002
【特許請求の範囲】
【請求項１】
装置本体の周囲の温湿度により結露を検出する結露検出部と、
略密閉状態で保持される記録媒体の装填、取出を行う開閉部の開放を検出する開閉検出部と、
前記結露検出部の検出結果と前記開閉検出部の検出結果とに基づき、結露の判定を行う結露判定部と、
前記結露判定部の結果に基づき、前記記録媒体の駆動の入切を制御する制御部とを備えた記録再生装置。
【請求項２】
前記結露検出部による検出結果を記憶する結露メモリと、
前記結露メモリ上の検出結果の記憶期間を制限する結露タイマとをさらに備え、
前記結露判定部は、前記結露検出部の検出結果に代えて、前記結露メモリ上の検出結果を用いる請求項１に記載の記録再生装置。
【請求項３】
前記開閉部の開放履歴を記憶する開閉メモリと、
前記開放履歴の記憶期間を制限する開閉タイマとをさらに備え、
前記結露判定部は、前記開閉検出部の検出結果に代えて、前記開閉メモリの前記開放履歴を用いる請求項１または請求項２に記載の記録再生装置。
【請求項４】
通電時間を計測する通電タイマ部をさらに備え、
前記通電タイマの設定時間の経過により、前記結露タイマを強制的に終了させる請求項１から請求項３の何れかに記載の記録再生装置。
【請求項５】
前記結露判定部の結果に基づき、結露状態を表示する表示部とをさらに備えた請求項１から請求項４の何れかに記載の記録再生装置。
【発明の詳細な説明】
【技術分野】
【０００１】
本発明は、異なる環境間を移動した場合に発生する結露を検出して、装置の動作を止めて、結露の表示を行う機能を有した記録再生装置に関するものである。
【背景技術】
【０００２】
近年、記録再生装置は、環境移動した場合に発生する結露を検出して、装置の動作を止めて、結露の表示を行う機能を搭載している。
【０００３】
以下、従来の結露への対応機能を備えた記録再生装置について説明する。
【０００４】
結露への対応機能を備えた従来の記録再生装置として、特許文献１に記載されたものが知られている。図６は従来の記録再生装置を示すブロック図である。図６において、１は結露検出部、２は温度検出部、５は結露判定部、６は表示部、７はモータ動作制御部である。１１はマイクロコンピュータで、結露判定部５を内蔵する。
【０００５】
以上のように構成された従来の記録再生装置について、以下その動作について説明する。
【０００６】
まず、結露検出部１で記録再生装置の周囲の湿度を計測する。同様に、温度検出部２で記録再生装置の周囲の温度を計測する。結露判定部５は、温度が急激に変化し、結露し易い環境変化が起こった場合、結露の進行速度が速く、結露検出機能の応答が遅れることに対応するために、結露検出部１の出力を判定する判定基準を、温度検出部２の出力を使って一時的に下げることによって、結露状態を判定する。その判定結果を受けて、表示部６に結露の表示を出し、モータ動作制御部７を使って、カセットを取り出す動作を行い、テープに対するダメージを防止する。結露判定部５は、マイクロコンピュータ１１に内蔵する。
【特許文献１】特開平９―３０６０５５号公報
【発明の開示】
【発明が解決しようとする課題】
【０００７】
しかしながら上記従来の構成では、結露が発生する環境変化が観測されると、無条件に記録再生装置の動作を止めてしまう。したがって、実際には機器の密閉性が高く、機器内部のカセットテープやシリンダ等に結露が発生するおそれがなく、テープダメージも発生しない場合においても、記録又は再生を行うことができないという問題点を有していた。
【０００８】
本発明は上記従来の問題点を解決するものであり、結露が発生する環境変化が観測されても、実際に機器内部のカセットテープやシリンダ等に結露が発生するおそれがなく、テープダメージも発生しない場合には、記録再生装置の動作を可能とすることで、撮影者の撮影機会を確保する事が出来る記録再生装置を提供することを目的とする。
【課題を解決するための手段】
【０００９】
この目的を達成するために本発明の記録再生装置は、装置本体の周囲の温湿度により結露を検出する結露検出部と、略密閉状態で保持される記録媒体の装填、取出を行う開閉部の開放を検出する開閉検出部と、前記結露検出部の検出結果と前記開閉検出部の検出結果とに基づき、結露の判定を行う結露判定部と、前記結露判定部の結果に基づき、前記記録媒体の駆動を制御する駆動制御部とを備える。
【発明の効果】
【００１０】
この構成により、本発明の記録再生装置は、結露が発生する環境変化が観測されても、実際に機器内部のカセットテープやシリンダ等に結露が発生するおそれがなく、テープダメージも発生しない場合には、記録再生装置の動作を可能とすることで、撮影者の撮影機会を確保出来るという優れた効果が得られる。
【発明を実施するための最良の形態】
【００１１】
本発明にかかる記録再生装置は、装置本体の周囲の温湿度により結露を検出する結露検出部と、略密閉状態で保持される記録媒体の装填、取出を行う開閉部の開放を検出する開閉検出部と、前記結露検出部の検出結果と前記開閉検出部の検出結果とに基づき、結露の判定を行う結露判定部と、前記結露判定部の結果に基づき、前記記録媒体の駆動を制御する駆動制御部とを備える。これにより、結露が発生する環境変化が観測されても、その条件だけを判定して、記録又は再生の動作を止めるのではなく、実際に機器内部のカセットテープやシリンダ等に結露が発生するおそれがなく、テープダメージが発生しない場合には、記録再生装置の動作を可能とすることで、撮影者の撮影機会を確保することができる。
【００１２】
上記の構成にかかる本発明の記録再生装置は、前記結露検出部による検出結果を記憶する結露メモリと、前記結露メモリ上の検出結果の記憶期間を制限する結露タイマとをさらに備え、前記結露判定部は、前記結露検出部の検出結果に代えて、前記結露メモリ上の検出結果を用いるとしてもよい。これにより、結露検出部と機器内部のシリンダとで結露が乾くまでの時間に差があるために、シリンダに結露が残った状態でテープをローディグしてしまい、テープダメージが発生するのを防止することができる。
【００１３】
上記の構成にかかる本発明の記録再生装置は、前記開閉部の開放履歴を記憶する開閉メモリと、前記開放履歴の記憶期間を制限する開閉タイマとをさらに備え、前記結露判定部は、前記開閉検出部の検出結果に代えて、前記開閉メモリの前記開放履歴を用いるとしてもよい。これにより、結露が発生する環境変化が起こってから、実際に結露検出部で結露を検出するまでにある一定の時間を要することに対して、その期間、カセット扉が開けられた情報を保持する事により、より正しく結露の判定を行うことができる。
【００１４】
上記の構成にかかる本発明の記録再生装置は、通電時間を計測する通電タイマ部をさらに備え、前記通電タイマの設定時間の経過により、前記結露タイマを強制的に終了させるとしてもよい。これにより、実際に連続通電により機器内部の温度が急激に上がった後であれば、カセット扉を開けてもカセットテープやシリンダ等に結露が発生するおそれがなく、テープダメージも発生しないので、記録再生装置の動作を行うことができ、撮影者の撮影機会を最大限確保することができる。
【００１５】
上記の構成にかかる本発明の記録再生装置は、前記結露判定部の結果に基づき、結露状態を表示する表示部とをさらに備えるとしても良い。これにより、撮影者は結露が発生したために、記録又は再生の操作ができないことを、明示的に知ることができる。
【００１６】
以下、本発明の実施の形態について、図面を用いて説明する。
【００１７】
（実施の形態１）
図１は本発明の実施の形態１における記録再生装置の構成を示すブロック図であり、同図において従来技術と同一の構成要素には同一番号を付与し説明を省略する。
【００１８】
図１において、１は結露検出部であり、環境の変化があったとき、結露センサの表面に生じた結露を検出し、それを抵抗の変化として捉え、電圧の変化に変換して、その電圧変化を一定の判定電圧と比較して、判定電圧を超えているとき、結露と判定する。３は結露メモリであり、結露検出部１の検出した結果を１次的に記憶しており、好ましくは、半導体メモリで構成されたレジスタのフラグにより、構成される。レジスタとしては、マイコン内部のレジスタを利用しても良い。
【００１９】
結露タイマ４は、結露を検出した後、その検出事実を、結露メモリ３にどのくらいの時間保持しておくかを決定する。その時間とは、シリンダの結露が乾くまでの時間を十分にカバーする時間であり、記録再生装置の機構部分の密閉性にもよるが、通常１時間から２時間程度である。
【００２０】
８はカセット扉開閉検出スイッチである。このスイッチにより、カセット扉を開けたことを検出する。９のカセット扉メモリは、カセット扉を開けたことを記憶する。カセット扉を開けた記憶は、いつまでも保持するわけではなく、カセット扉タイマ１０は、その設定時間が過ぎると、カセット扉メモリ９をリセットし、カセット扉を開けた情報を消去する。
【００２１】
結露判定部５は、結露メモリ３とカセット扉メモリ９との情報を入力として判定を行う。結露と判定した場合、表示部６に結露状態であることを表示する。それと共に、モータ動作制御部７により、結露動作を行う。ここで結露動作とは、機構部分のモータを制御して、シリンダからテープを離し、結露によりテープがダメージを受けないようにする動作である。
【００２２】
以上のように構成された記録再生装置について、その動作をより詳細に説明する。
【００２３】
結露検出部１で検出した結露の発生・消失のタイミングと、装置内部のシリンダユニット等における結露の発生・消滅のタイミングとは一致せず、したがって、装置内部のシリンダユニット等における結露状態を把握するために、結露タイマ４を用いる必要がある。その理由を以下に説明する。
【００２４】
結露センサが付けられている場所は、外装表面から近いところの出来る限り感度よく結露を検出できるところであり、かつ、出来るだけ熱容量の大きい部品を選んで、その表面に付けられる事が望ましい。機器の中で、最大の熱容量を持つのはシリンダユニットであるが、その機構上、回転部分が多く、その周りにも、可動部が多いので、そこに取り付けることは実質不可能である。そこで、出来るだけ熱容量の大きい部品を選んで、その表面に付ける訳であるが、結果として、熱容量が足りず、シリンダの結露が乾く前に、結露センサが先に乾いてしまう。そこで、結露センサで環境変化を捉えた後は、結露タイマ４を使って、シリンダの結露が乾くまでの時間を十分にカバー出来る時間を、その結露メモリ３と結露タイマ４で保持し、その期間の機器の動作を禁止することにより、まだ結露が残った状態のシリンダにテープをローディグしてしまい、テープダメージが発生するのを防ぐ。
【００２５】
つまり、結露を検出した後にその結露を検出した事実を結露メモリ３の中に保持しておく時間は、シリンダの結露が乾くまでの時間を十分にカバーする時間を、設定する事で実現する。
【００２６】
一方、結露メモリ３において、設定された時間が過ぎるまでは、いったん検出した結露状態は解除されず、撮影者はその期間、機器を使って被写体を撮影することが出来ない。もちろん、テープダメージの発生防止の為、シリンダの結露が乾くのに必要な時間を十分にカバーする事は大切であるが、あまりに安全側に余裕を取りすぎると撮影することが出来ない時間が長くなり、撮影者の撮影機会を奪うこととなる為、結露タイマ４は、それらを加味した適切な時間設定を行う必要がある。
【００２７】
結露メモリ３は、その出力の形態として、結露検出部１が結露状態、又は結露タイマ４が動作中の時、連続して出力に「Ｈｉ」を出すように設定する。
【００２８】
８はカセット扉開閉検出スイッチであり、カセット扉を開けたことを検出する。その情報はカセット扉メモリ９に記憶する。そのカセット扉を開けた記憶は、いつまでも保持するわけではなく、カセット扉タイマ１０の設定時間が過ぎると、値をリセットし、カセット扉を開けた情報を消去する。カセット扉タイマ１０の設定時間は、結露センサの反応時間に基づき設定する。つまり、結露を生じる環境変化の中で、最も環境変化が少ない状態で、結露センサが反応するのにかかる時間の最大値に対して、十分余裕を持って設定する。
【００２９】
より具体的に説明すると、結露センサは通常、異なる環境間を移動してから、その環境変化で発生する結露を検出するのに約１分から３分程度の時間を要するので、カセット扉タイマ１０の設定時間はその２倍から３倍程度に設定するのが望ましく、２分から６分程度が適当である。
【００３０】
この設定により、結露センサが、結露の検出にかかる物理的に必要な遅延時間の間、カセット扉が開けられた情報を保持する事により、結露判定部５で、正しく判定が出来る。
【００３１】
カセット扉メモリ９は、その出力の形態として、カセット扉が開いている時、又はカセット扉は閉まっているがカセット扉タイマ１０が動作中の時に、「Ｈｉ」を出すように設定する。
【００３２】
結露判定部５は、結露メモリ３とカセット扉メモリ９との情報を判定入力とする。両方の情報が揃ったときのみ、結露表示と結露動作を行う。つまり、結露メモリ３の出力が、結露状態又は結露タイマ４が動作中の時を表す「Ｈｉ」で、かつカセット扉メモリ９の出力が、カセット扉が開いている、又はカセット扉は閉まっているがカセット扉タイマ１０が動作中の時を表す「Ｈｉ」の時、この結露判定部５は、結露表示、及び結露動作を行うべきと判断する。
【００３３】
この例の論理設定の場合、結露判定部５は、論理回路の「ＡＮＤ」で構成することが出来る。つまり、論理回路の「ＡＮＤ」の入力端子に結露メモリ３の出力と、カセット扉メモリ９の出力を結線する事により判定結果を「ＡＮＤ」の出力として得る事が出来る。
【００３４】
この場合、結露メモリ３の出力「Ｈｉ」と、カセット扉タイマ１０の出力「Ｈｉ」とが揃えば、「ＡＮＤ」回路の出力に「Ｈｉ」が出力され、「Ｈｉ」出力で、結露表示と結露動作を行うように構成すれば、この結露判定部５の機能を実現することが出来る。
【００３５】
表示部６は、結露判定部５が結露と判定したとき、その結露の状態をＬＣＤモニターによるオンスクリーン表示（ＯＳＤと略す）や、ＥＶＦビューファィンダー上のＯＳＤで、撮影者に知らせる。それと同時に、モータ動作制御部７を使ってモータとメカニズムを制御し、カセットをシリンダから離し、テープダメージを防ぐ結露動作を行う。
【００３６】
一方、結露判定部５は、結露メモリ３の出力「Ｈｉ」と、カセット扉メモリ９の出力「Ｈｉ」の両方の情報が揃ったときのみ、結露表示と結露動作を行うので、以下のような、片方のみが「Ｈｉ」の場合、結露と判断せず、機器の動作を止めることはない。
【００３７】
まず、結露と判断しないケース１の場合は、結露メモリ３は結露状態又は結露タイマ４が動作中の時を表す「Ｈｉ」を出しているが、もう一方のカセット扉メモリ９は、カセット扉が閉じている、又は過去カセット扉タイマ１０の時間以内にカセット扉が開いていたことがないことを表す「Ｌｏｗ」を出している場合である。
【００３８】
この場合、周りの環境は、結露が発生する環境変化を起こしていると観測されているわけだが、カセット扉の密閉性が高く、テープとシリンダを含むメカ部分に、湿った暖かい空気が容易に入り込めない外装ケースの構成を取っている限りに置いて、カセット扉がぴったりと閉じている場合、テープとシリンダに結露が発生することはない。
【００３９】
つまり、実際に機器内部のカセットテープやシリンダ等に結露が発生するおそれがなく、テープダメージも発生するおそれがない場合にあたり、周りの環境が、「結露が発生する環境変化を起こしている」という事実だけで、記録又は再生の動作を止めてしまう必要はなく、撮影者の撮影機会を確保する事とする。
【００４０】
次に、結露と判断しないケース２の場合は、先ほどとは逆で、カセット扉メモリ９は、カセット扉が開いている、又は過去カセット扉タイマ１０の時間以内にカセット扉が開いていたことを表す「Ｈｉ」を出しているが、結露メモリ３は結露状態ではなく、且つ結露タイマ４が動作中でもないことを表す「Ｌｏｗ」を出している場合である。
【００４１】
この場合、単に撮影者はカセットを交換しようとして、カセット扉を開けただけである。その時の周りの環境は、「結露が発生する環境変化」を起こしている訳ではなく、結露が発生するおそれはないので、表示部６に結露表示を出す必要もなく、またモータ動作制御部７を使って、テープをシリンダから離す必要もない。
【００４２】
次に図３に示すタイミング図を用いて、結露を検出する動作の具体的な動きを説明する。
【００４３】
図３の「パターンＡ」は、電源スイッチＯＦＦで結露検出部１が結露を検出した後、カセット扉が開かれた場合を示している。
【００４４】
結露センサが、環境移動により、表面に付いた結露のせいで、抵抗値が上昇し、その値を電圧変換した値をマイコンのＡ／Ｄ入力等で読み込み、結露スレッシュ上を越えた時点で、結露と判断する。その後、Ａ／Ｄ入力の電圧値は、いったん上昇してピークを迎えた後、徐々に低下する。これは、結露センサが周りの環境温度と同じ温度となり、徐々に表面が乾いて、抵抗値が下がり、マイコンのＡ／Ｄ入力の電圧値も下がり、やがて、結露スレッシュ下を下回る。通常、結露タイマ４は、Ａ／Ｄ入力の電圧値が、結露スレッシュ下を下回ったところで、スタートするように設定する。
【００４５】
ここで、結露スレッシュ上と結露スレッシュ下を設けている理由は、結露センサの出力するＡ／Ｄ入力の電圧値が、丁度スレッシュ付近を横切るとき、一律に上昇するわけではなく、スレッシュ付近を上下したとき、誤動作しないための処置である。
【００４６】
結露センサの配置は、外装表面から近いところの、出来る限り感度よく結露を検出できるところに位置することが望ましい。具体的には、機器上面に配置し、上に向かって開口した部分にセンサを配置すると、感度よく、結露を検出できる。
【００４７】
ただし、通常その部分は、あまり熱容量があるところではないので、センサが結露スレッシュ下を切ったところから、結露タイマ４をスタートする。これは、前述の通り、機器の中で最も熱容量が大きく、実際結露した場合、テープダメージにつながるシリンダが周囲温度近くになるまでの間、結露状態を保持するために必要な処置である。
【００４８】
「パターンＡ」では、環境移動をした後、ある程度時間は経過したものの、まだ結露タイマ４が動作している期間に、撮影者が機器の電源を入れ、カセットを交換するためにカセット扉を開けたと想定している。この場合、結露タイマ４は動作中であり、シリンダはまだ周囲温度より冷えている。
【００４９】
この状態で、外の湿った暖かい空気がシリンダに触れれば、結露を発生し、そこにもし、テープがローディングされれば、張り付いてしまい、テープダメージとなる。そこで、電源スイッチを入れ、カセット扉が開かれた瞬間、２つの条件が揃ったこととなるので。機器の動作を止める。
【００５０】
次に図４のタイミング図を用いて、結露を検出する場合の、別の具体的な動きのパターンについて説明する。図４の「パターンＢ」は、カセット扉が開かれた後、カセット扉開放タイマ１０を動作させ、そのカセット扉開放タイマ１０の動作中に結露を検出した場合を示している。
【００５１】
結露センサは、前記の通り、機器の構成上最も環境変化を捉えやすい、機器の上面にセンサを配置している。この配置により、環境変化のすぐ後に、カセット扉が開かれて、湿った暖かい空気が、少し奥まった所に位置するシリンダとカセットテープに到達して、結露を生じるよりも早く、この配置の結露センサにより結露を検出することができる。
【００５２】
結露センサは通常、環境を移動してから、値が変化するまで、１分程度かかる。その為、結露検出にかかる期間の最低時間である１分より長い時間、カセットテープを開けたことをカセット扉開放タイマ１０で保持する。つまり、結露センサが、検出するのに十分な時間の間、カセット扉タイマ１０でカセット扉が開いたことがあることを記憶しておく訳である。
【００５３】
この「パターンＢ」の場合、環境を移動して、即テープを入れ替える為、カセット扉を開けた事を想定している。その後、カセット扉をすぐに閉じた場合でも、湿った暖かい空気が、低温のシリンダとカセットテープに触れることとなるため、結露が発生し、テープダメージを発生させる可能性がある。そこで、環境を移動してから約１分で結露センサは結露スレッシュ上のレベルを超えて、結露検出状態となり、カセット扉「開」と結露センサ「ＯＮ」の２つの条件が揃うので、結露と判断する。その結果、結露表示を行い、結露動作を行う。これにより、シリンダに結露が発生して、テープダメージが発生する前に、結露動作にはいることができ、モータ動作制御部７により、テープをシリンダから離す。
【００５４】
以上のように本実施の形態１によれば、結露センサによる結露の検出のみにより、結露動作を行うのではなく、他の条件を加味して結露動作の判定を行う。つまり、「カセット扉が開いたのかどうか」、「カセット扉を開いた後の経過時間」および「結露検出後の経過時間」を新たな判断基準として追加する。これにより、周りの環境が結露を起こしてもおかしくない環境変化を起こしており、且つ、カセット扉が開かれた時のみ結露の表示と動作を行い、この二つの条件が揃わない場合は、結露の表示と動作を行なわない。この仕組みを入れることにより、結露が発生する環境変化が観測されても、その条件だけを判定して、記録又は再生の動作を止めてしまうことはない。つまり、実際に機器内部のカセットテープやシリンダ等に結露が発生するおそれがなく、テープダメージも発生しない場合には、記録再生装置の動作は止めず、撮影者の撮影機会を最大限確保できるという優れた作用を実現することができる。
（実施の形態２）
実施の形態１との違いは、機器が連続して通電している時間を計測する通電タイマを設けた事である。以下、図２を使ってより詳細に説明する。
【００５５】
図２は、本発明の実施の形態２における記録再生装置の構成を示すブロック図であり、同図において図１と同一の構成要素には同一番号を付与し説明を省略する。
【００５６】
図２において、１２は通電タイマであり、記録再生装置の結露タイマ４が起動してから動き始め、機器の電源が連続して入っている時間をカウントする。そのカウントの設定時間が過ぎた場合、動作中の結露タイマ４を強制的に終了させるように構成する。
【００５７】
この構成により、撮影者が環境移動をして、結露が発生するような条件に周囲の環境が変化して、結露検出部１が結露を検出しても、カセット扉を開けなければ、そのまま撮影できるのであるが、さらに、通電タイマ１２の設定時間以上の時間にわたって、連続して機器を使い続けた場合、結露タイマ４を途中で打ちきることが出来る。
【００５８】
これは機器を連続して使用した場合、機器の動作時の消費電力により、内部の温度が急激に上昇し、一定以上の温度になるので、その温度が上昇した時点で、カセット扉を開けても、機器の動作に支障はない。つまり、機器内部の温度が高いので、暖かく湿った周囲の空気の温度と、機器内部の温度に差がなく、カセット扉を開けて、周囲の空気がテープやシリンダに触れても、テープやシリンダの温度が、周囲の温度より同等又は高い温度なので、結露が発生するおそれはない。
【００５９】
従って、結露タイマ４のカウント時間がまだ残っていても、カセット交換によるカセット扉の開放で、機器の動作を止める必要はない。つまり、通電タイマ１２の設定時間以上の時間にわたって、連続して機器の電源をＯＮして使い続けた場合、その時点で結露タイマ４を強制的にリセットすることにより、結露タイマ４をキャンセルし、カセット扉を開いても、結露の判断条件が成立しないようにする。これにより、実質的に結露のおそれがない場合に、結露タイマ４をキャンセルすることができる。このことにより、撮影者に記録再生装置の使える機会をこれまで以上に増やす事が出来るわけである。
【００６０】
つまり、この通電タイマを新たに設けた構成により、実際に連続通電により、機器内部の温度が急激に上がった後であれば、カセット扉を開けても、カセットテープやシリンダ等に結露が発生するおそれがなく、テープダメージも発生しないので、記録再生装置の動作を止める必要はなく、撮影者の撮影機会を最大限確保出来る。
【００６１】
逆に、撮影者が環境移動をし、結露が発生するような条件に周囲の環境が変化し、結露検出部１が結露を検出した時に、機器の電源がＯＦＦのままであれば、機器内部の温度が急激に上昇することはなく、機器内部の温度が周囲の環境温度に近づくにはそれなりの時間がかかる。その時間が、すなわち結露タイマ４の設定時間である。通電タイマ１２の設定時間は、結露タイマ４の設定時間より短く設定する。その通電タイマ１２の設定時間は、連続通電時の機器内部の温度上昇カーブで決まる時間であり、通常は結露タイマ４の設定時間の半分から１／３程度の時間に設定することが可能である。
【００６２】
以上のように、通電タイマ１２を設けることにより、機器を連続して使い続ける限り、内部の温度は急激に上がり、一定以上の温度になっているので、その時点でカセット扉を開けても、機器内部と周囲の湿った暖かい空気との温度差がなく、結露を発生するおそれはないので、強制的に結露タイマ４をリセットして、連続して機器を使い続けられるように構成したことが、請求項１記載の記録再生装置との変化点である。
【００６３】
ここで、図５のパターンＣのタイミング図を使って、実施の形態２の動作を説明する。パターンＣの場合、結露センサは結露を検出した後、結露タイマ４の動作に入っている。その間、カセット扉が開かれていないので、ユーザはそのまま約１時間連続使用後、カセット交換しようとして、カセット扉を開けた場合を想定している。この場合、本来であれば、結露タイマ４の動作中であり、その結露タイマ４の動作中にカセット扉を開けたのであるから、結露と判定する事となる。
【００６４】
ところが、１時間以上通電していたので、内部は十分暖まっており、カセット扉を開いても、結露の心配はない。そこで、通電タイマ１２により、結露タイマ４をリセットして、強制解除し、結露動作に移らないようにする。
【００６５】
なお、以上の説明では通電タイマ１２の起動時点は、結露タイマ４の起動時点と同時としたが、結露検出と同時としてもよく、設定時間を微調整することにより、同様の効果を得ることが出来る。どちらの時間をタイマの起動時間にするかは、機器の状態により、より適切な方を選択する。
【００６６】
以上の記述の通り、通電タイマを新たに設けた構成により、実際に連続通電により、機器内部の温度が急激に上がった後であれば、カセット扉を開けても、カセットテープやシリンダ等に結露が発生するおそれがなく、テープダメージも発生しないので、記録再生装置の動作を止める必要はなく、撮影者の撮影機会を最大限確保できるという優れた効果が得られる。
【００６７】
なお、本実施例では、記録媒体としてテープを用いた場合について説明したが、これに限るものではなく、ＳＤメモリカードや、ＤＶＤ等いかなる記録媒体であってもよい。
【産業上の利用可能性】
【００６８】
本発明は、ＤＳＣやポータブルＤＶＤレコーダーといった各種モバイル機器においても適用することができる。
【図面の簡単な説明】
【００６９】
【図１】本発明の一実施の形態における記録再生装置のブロック図
【図２】本発明の他の形態における記録再生装置のブロック図
【図３】本発明の一実施の形態におけるパターンＡのタイミングを示す図
【図４】本発明の一実施の形態におけるパターンＢのタイミングを示す図
【図５】本発明の一実施の形態におけるパターンＣのタイミングを示す図
【図６】従来の記録再生装置のブロック図
【符号の説明】
【００７０】
１  結露検出部
２  温度検出部
３  結露メモリ
４  結露タイマ
５  結露判定部
６  表示部
７  モータ動作制御部
８  カセット扉開閉検出スイッチ
９  カセット扉メモリ
１０  カセット扉タイマ
１１  マイクロコンピュータ
１２  通電タイマ
【図１】
2007193857.tif 000003
【図２】
2007193857.tif 000004
【図３】
2007193857.tif 000005
【図４】
2007193857.tif 000006
【図５】
2007193857.tif 000007
【図６】
2007193857.tif 000008